(57)【特許請求の範囲】
【請求項１】
内側表面および外側表面を有する織物または布地；および
前記の織物または布地に取り付けられた、柔軟かつ適合する可視光源装置、
を備える洗濯機による洗浄が可能な視認性強化デバイスであって、
前記可視光源装置は、
前記の織物または布地の前記内側表面の方に向けて配置された、および／または、前記の織物または布地の前記内側表面に対して実質的に垂直な角度で光を提供するように配置された、少なくとも１つの可視光源；
第一の末端および第二の末端を備える、少なくとも２つの導電部材、前記の第一の末端は、前記の少なくとも１つの可視光源に接続されて、前記の第二の末端は、電源に分離可能に接続するように適合される；および、
前記の少なくとも１つの可視光源の全体および前記の少なくとも２つの導電部材の一部を封入する、少なくとも１つの透明ポリマー層、
を備え、
前記の柔軟かつ適合する可視光源装置は、３５０μｍ〜６００μｍの厚さを有する、
デバイス。
【請求項２】
請求項１に記載の洗濯機による洗浄が可能な視認性強化デバイスであって、
前記可視光源は、発光ダイオード（ＬＥＤ）、有機発光ダイオード（ＯＬＥＤ）およびエレクトロルミネセント材料からなる群の１つまたは複数から選択されて、
場合により、前記可視光源は、光チャネリングデバイス（例えば光ファイバー）をさらに備える、
デバイス。
【請求項３】
請求項１または２に記載の洗濯機による洗浄が可能な視認性強化デバイスであって、
前記可視光源は、前記の少なくとも１つの透明ポリマー層によって、前記の織物または布地に取り付けられる、
デバイス。
【請求項４】
請求項１から３のいずれか一項に記載の洗濯機による洗浄が可能な視認性強化デバイスであって、
前記の柔軟かつ適合する可視光源装置は、少なくとも１つの電気回路を上に備える少なくとも１つのフレキシブル基板をさらに備え、
前記の少なくとも１つの可視光源は、前記の少なくとも１つの電気回路を通って前記の少なくとも１つのフレキシブル基板に取り付けられて、
前記の少なくとも１つの電気回路は、前記の少なくとも２つの導電部材に接続されて、場合により、
（ａ）前記の少なくとも１つの可視光源は、等方導電性接着剤によって、前記の少なくとも１つの電気回路に取り付けられる；および／または、
（ｂ）前記の少なくとも１つの電気回路は、銀および／または銅を含む；および／または
（ｃ）前記の少なくとも１つの電気回路は、印刷された電気回路またはリソグラフィによってエッチングされた電気回路である、
デバイス。
【請求項５】
請求項１から４のいずれか一項に記載の洗濯機による洗浄が可能な視認性強化デバイスであって、
前記導電部材は、ワイヤ、導電糸、スクリーン印刷された導電パス、およびそれらの組み合わせから選択される群の１つまたは複数であってよい、
デバイス。
【請求項６】
請求項１から５のいずれか一項に記載の洗濯機による洗浄が可能な視認性強化デバイスであって、
前記デバイスは、電力供給ユニット、および、前記電力供給ユニットを前記可視光源装置に接続するための電気相互接続をさらに備える、
デバイス。
【請求項７】
請求項６に記載の洗濯機による洗浄が可能な視認性強化デバイスであって、
前記電力供給ユニットは、バッテリーおよびＤＣ−ＤＣブーストコンバータを備える、
デバイス。
【請求項８】
請求項７に記載の洗濯機による洗浄が可能な視認性強化デバイスであって、
前記電力供給ユニットは、前記可視光源の多くの照明モードを制御するように適合された切替モジュールをさらに備える、
デバイス。
【請求項９】
請求項６から８のいずれか一項に記載の洗濯機による洗浄が可能な視認性強化デバイスであって、
前記電力供給ユニットは、
（ａ）周囲光の状態に基づいて前記可視光源の輝度を制御するように適合された、周囲光検出器、場合により、前記切替モジュールの前記照明モードの１つまたは複数は、前記周囲光検出器によって完全または部分的に制御される；および／または
（ｂ）物体までの近さに応じて前記輝度を制御するための、近接センサー；および／または
（ｃ）周囲音量に応じて前記輝度を制御するための、音検出器；および／または
（ｄ）温度に応じて前記輝度を制御するための、温度センサー、
をさらに備える、
デバイス。
【請求項１０】
請求項１から９のいずれか一項に記載の洗濯機による洗浄が可能な視認性強化デバイスであって、
前記の織物または布地は、衣服または鞄に成形されて、
場合により、前記の織物または布地が衣服に成形される場合は、前記衣服は、ショーツ、靴下、Ｔシャツ、ズボン、レギンス、シャツ、および帽子から選択される、
デバイス。
【請求項１１】
請求項１から１０のいずれか一項に記載の洗濯機による洗浄が可能な視認性強化デバイスであって、
前記の柔軟かつ適合する可視光源装置は、４００μｍ〜５００μｍの厚さを有する、
デバイス。
【請求項１２】
請求項１から１１のいずれか一項に記載の洗濯機による洗浄が可能な視認性強化デバイスであって、
（ａ）前記の柔軟かつ適合する可視光源装置は、５ｍｍ〜１０ｍｍの曲げ半径を有する；および／または、
（ｂ）前記の柔軟かつ適合する可視光源装置は、１つよりも多い可視光源を備え、前記可視光源の間の距離は、少なくとも１ｃｍである、
デバイス。
【請求項１３】
請求項１から１２のいずれか一項に記載の洗濯機による洗浄が可能な視認性強化デバイスであって、
前記の少なくとも１つの透明ポリマー層は、ＴＰＵ、シリコーン系ポリマー、プラズマ処理した織物基材、および撥水性織物基材からなる群の１つまたは複数から選択される材料であって、
場合により、前記の少なくとも１つの透明ポリマー層は、ＴＰＵおよびシリコーン系ポリマーからなる群の１つまたは複数から選択される材料である、
デバイス。
【請求項１４】
請求項１から１３のいずれか一項に記載の洗濯機による洗浄が可能な視認性強化デバイスであって、
前記の少なくとも１つの可視光源が前記の織物または布地の前記内側表面の方に向けて配置される場合、前記の布地または織物における開口部は、前記の少なくとも１つの可視光源と並ぶ、
デバイス。
【請求項１５】
請求項４から１４のいずれか一項に記載の洗濯機による洗浄が可能な視認性強化デバイスであって、
前記フレキシブル基板は、ポリエチレンナフタレート、ポリエチレンテレフタレート、ポリイミドから選択される群の１つまたは複数から作られる、
デバイス。
【請求項１６】
請求項１から１５のいずれか一項に記載の洗濯機による洗浄が可能な視認性強化デバイスであって、
前記デバイスは、前記の織物または衣服に取り付けられた前記の柔軟かつ適合する可視光源装置の機能に影響を及ぼさずに、少なくとも３０回まで（例えば少なくとも５０回まで、例えば少なくとも１００回まで）、洗浄されることが可能である、
デバイス。
【請求項１７】
請求項１から１６のいずれか一項に記載の洗濯機による洗浄が可能な視認性強化デバイスであって、
前記の第一の末端に隣接してそれを含む第一の部分および前記の第二の末端に隣接してそれを含む第二の部分を除き、前記の少なくとも２つの導電部材は、それらの長さ全体にわたって電気的に絶縁されていて、前記の第一の部分および前記の第二の部分は両方とも絶縁されておらず、
前記の少なくとも２つの導電部材の前記の第一の部分は、前記の少なくとも１つの透明ポリマー層によって完全に封入される、
デバイス。
【請求項１８】
請求項１０から１７のいずれか一項に記載の洗濯機による洗浄が可能な視認性強化デバイスであって、
前記デバイスは、衣服の一部であり、その結果、柔軟かつ適合する可視光源装置は、衣服内の任意の位置に配置される、
デバイス。
【請求項１９】
請求項１８の洗濯機による洗浄が可能な視認性強化デバイスであって、
前記の柔軟かつ適合する可視光源装置は、衣服の着用者の動作を制限せず、および／または、着用者にいかなる不快感も引き起こさない、
デバイス。
【発明の詳細な説明】
【技術分野】
【０００１】
本出願は、織物または布地の一部として洗浄も可能である、照明を提供するための柔軟かつ適合する可視光ストリップを備える、視認性の高い織物または布地に関する。洗浄された衣服は、洗浄後、機能性のままである。具体的には、本発明は、柔軟な可視光照明デバイスを統合した衣服に関する。
【背景技術】
【０００２】
本明細書中の明らかな先行文献のリストまたは議論は、その文献が技術水準の一部であること、または一般的知識であることの、承認として受け取られる必要は必ずしもない。
【０００３】
労働者、通勤者、子供および運動をする人は全て、様々な理由のため、低光量条件であえて外に行かなければならない場合がある。しかしながら、そのような条件であえて外に行くことは、光レベルが低い場合、他人（例えば自動車ドライバー）がその人を認識するのが難しい場合があるため、潜在的に危険であり得る。このことは、あえて外に行かなければならない人を不安、心配および危険な気持ちにさせ得る。
【０００４】
外にいる人の視認性を改善するために、淡色の服が用いられていて、低光量条件で外にいる人を見分けるより大きなチャンスを観察者に与えるのを助ける。さらに視認性を改善するのを助けるために、衣料内の受動反射素子もしばしば用いられる。淡色の服および受動素子は、実際のところ、道路照明のような外部可視光源からの光または車両のヘッドランプからの光が人に当たった場合に、視認性を高めるのを助けるだけである。
【０００５】
低光量条件であえて外に行かなければならない人に関する安全を改善するために、衣服の中または上に統合されたある種の照明デバイスを備える様々な衣服が開発されている。しかしながら、現在までに、これらの照明デバイスは、嵩張り、着るのが不快であり、洗濯前に衣服から照明デバイスを取り外さなければならず、衝撃耐性がなく、局所的（例えば、着用者の体に起因する）またはより全体的（例えば天気）の環境条件に対する耐性がないというような、様々な問題によって悩まされている。
【発明の概要】
【発明が解決しようとする課題】
【０００６】
したがって、より快適で、低光量条件で作業する必要のある個人によって使用可能な、衣服に関する必要性が残っている。さらに、洗浄前後の分解および再構築それぞれのために多大な時間を必要としない、維持しやすい衣服に関する必要性も存在する。またさらに、薄い電子部品パーツを統合するが電子部品は衣服を着用者にとって不快にさせない衣服（例えば単一層の布地）に関する必要性が残っている。
【課題を解決するための手段】
【０００７】
本発明の第一の態様では、内側表面および外側表面を有する織物または布地、および、織物または布地に取り付けられた柔軟かつ適合する可視光源装置を備える、視認性強化デバイスが提供されて、ここで、可視光源装置は、織物または布地の内側表面の方に向けて配置された、および／または、織物または布地の内側表面に対して実質的に垂直な角度で光を提供するように配置された、少なくとも１つの可視光源、第一の末端および第二の末端を備える少なくとも２つの導電部材（第一の末端は、前記の少なくとも１つの可視光源に接続されて、第二の末端は、電源に接続するように適合される）、および、前記の少なくとも１つの可視光源の全体および前記の少なくとも２つの導電部材の少なくとも一部を封入する少なくとも１つの透明ポリマー層、を備える。
【０００８】
本発明の一実施態様では、可視光源は、発光ダイオード（ＬＥＤ）、有機発光ダイオード（ＯＬＥＤ）およびエレクトロルミネセント材料からなる群の１つまたは複数から選択されてよく、場合により、可視光源は、光チャネリングデバイス（例えば光ファイバー）をさらに備える。本明細書において言及され得る本発明の特定の実施態様では、可視光源は、ＬＥＤまたはＯＬＥＤである。
【０００９】
本発明の特定の実施態様では、可視光源は、前記の少なくとも１つの透明ポリマー層によって、織物または布地に取り付けられてよい。
【００１０】
本発明のさらなる実施態様では、柔軟かつ適合する可視光源装置は、少なくとも１つの電気回路を上に備える少なくとも１つのフレキシブル基板をさらに備えてよく、ここで、前記の少なくとも１つの可視光源は、前記の少なくとも１つの電気回路を通して前記の少なくとも１つのフレキシブル基板に取り付けられて、前記の少なくとも１つの電気回路は、前記の少なくとも２つの導電部材に接続される。特定の実施態様では、前記の少なくとも１つの可視光源は、等方導電性接着剤によって、または、はんだ付けによって、前記の少なくとも１つの電気回路に取り付けられ得る。また、さらなる実施態様では、前記の少なくとも１つの電気回路は、銀および／または銅を含んでよい。また、さらなる実施態様では、前記の少なくとも１つの電気回路は、印刷された電気回路またはリソグラフィによってエッチングされた電気回路である。
【００１１】
またさらに、本発明のさらなる実施態様では、導電部材は、ワイヤ、導電糸、スクリーン印刷された導電パス、およびそれらの組み合わせから選択される群の１つまたは複数であってよい。
【００１２】
本発明のさらなる実施態様では、デバイスは、電力供給ユニット、および、電力供給ユニットを可視光源装置に接続するための電気相互接続をさらに備えてよい。例えば、電気相互接続は、織物または布地に、および、前記の少なくとも２つの導電部材の第二の末端に、取り付けられた、第一の柔軟な相互接続部品を備えてよい。
【００１３】
またさらなる実施態様では、電気相互接続は、機械的な連結機構をさらに備えてよく、場合により、機械的な連結機構は、第二の格納部の接触面上の相補の突起に開放可能に結合するように配列された第一の格納部の接触面上の少なくとも１つの溝を備える少なくとも１つの部分を備え、または逆も同様である。
【００１４】
またさらに、本発明のさらなる実施態様では、
（ａ）電力供給ユニットは、バッテリーおよびＤＣ−ＤＣブーストコンバータを備えてよい；および／または
（ｂ）電力供給ユニットは、可視光源の多くの照明モードを制御するように適合された切替モジュールをさらに備えてよい；および／または
（ｃ）電力供給ユニットは、周囲光の状態に基づいて可視光源の輝度を制御するように適合された、周囲光検出器（場合により、切替モジュールの照明モードの１つまたは複数は、周囲光検出器によって完全または部分的に制御される）；および／または
（ｄ）物体までの近さに応じて輝度を制御するための、近接センサー；および／または
（ｅ）周囲音量に応じて輝度を制御するための、音検出器；および／または
（ｆ）温度に応じて輝度を制御するための、温度センサー、
をさらに備えてよい。
【００１５】
またさらに、さらなる実施態様では、織物および／または布地は、衣服または鞄に成形されてよい。例えば、織物および／または布地が衣服に成形される場合は、衣服は、ショーツ、靴下、Ｔシャツ、ズボン、レギンス、シャツ、および帽子から選択される。
【００１６】
特定の実施態様では、柔軟かつ適合する可視光源装置は、３５０μｍ〜６００μｍ（例えば４００μｍ〜５００μｍ）の厚さを有してよい。
【００１７】
特定の実施態様では、柔軟かつ適合する可視光源装置は、５ｍｍ〜１０ｍｍ（例えば５．５ｍｍ〜８ｍｍ）の曲げ半径を有してよい。追加または代替の実施態様では、柔軟かつ適合する可視光源装置が１つよりも多い可視光源を備える場合、可視光源の間の距離は、少なくとも１ｃｍ（例えば１ｃｍ〜５０ｃｍ、例えば１．５ｃｍ〜１０ｃｍ）である。
【００１８】
またさらに、さらなる実施態様では、前記の少なくとも１つの透明ポリマー層は、ＴＰＵ、シリコーン系ポリマー、プラズマ処理した織物基材、および撥水性織物基材からなる群の１つまたは複数から選択される透明の材料であってよく、場合により、前記の少なくとも１つの透明ポリマー層は、ＴＰＵおよびシリコーン系ポリマーからなる群の１つまたは複数から選択される材料であってよい。
【００１９】
またさらに、さらなる実施態様では、前記の少なくとも１つの可視光源が、織物または布地の方に向けて光を提供するように配置される場合、布地または織物における開口部は、前記の少なくとも１つの可視光源と並んでよい。
【００２０】
またさらなる実施態様では、フレキシブル基板は、ポリエチレンナフタレート、ポリエチレンテレフタレート、ポリイミドから選択される群の１つまたは複数から作られ得る。
【００２１】
またさらに、さらなる実施態様では、本発明のデバイスは、織物または衣服に取り付けられた柔軟かつ適合する可視光源装置の機能に影響を及ぼさずに、少なくとも３０回まで（例えば少なくとも５０回まで、例えば少なくとも１００回まで）、洗浄され得る。
【００２２】
またさらなる実施態様では、前記の少なくとも２つの導電部材は、第一の末端に隣接してそれを含む第一の部分および第二の末端に隣接してそれを含む第二の部分を除き（その両方とも絶縁されていない）、それらの長さ全体にわたって電気的に絶縁されてよく、前記の少なくとも２つの導電部材の第一の部分は、前記の少なくとも１つの透明ポリマー層によって完全に封入される。
【００２３】
デバイスが衣服を成形する、またはその一部である本発明の実施態様では、その結果、柔軟かつ適合する可視光源装置は、前記衣服内の任意の位置に配置され得る。例えば、柔軟かつ適合する可視光源装置は、衣服の着用者の動作を制限せず、および／または、着用者にいかなる不快感も引き起こさない（例えばデバイスの薄さに起因する）。
【００２４】
また、本発明のさらなる態様および実施態様は、以下の番号の条項に開示される。
【００２５】
１．内側表面および外側表面を有する織物または布地；および
前記の織物または布地に取り付けられた柔軟かつ適合する可視光源装置、
を備える視認性強化デバイスであって、
前記可視光源装置は、
前記の織物または布地の前記内側表面の方に向けて配置された、および／または、前記の織物または布地の前記内側表面に対して実質的に垂直な角度で光を提供するように配置された、少なくとも１つの可視光源；
第一の末端および第二の末端を備える少なくとも２つの導電部材（前記の第一の末端は、前記の少なくとも１つの可視光源に接続されて、前記の第二の末端は、電源に接続するように適合される）；および、
前記の少なくとも１つの可視光源の全体および前記の少なくとも２つの導電部材の少なくとも一部を封入する、少なくとも１つの透明ポリマー層、
を備える。
【００２６】
２．条項１に記載のデバイスであって、前記可視光源は、発光ダイオード（ＬＥＤ）、有機発光ダイオード（ＯＬＥＤ）およびエレクトロルミネセント材料からなる群の１つまたは複数から選択されて、場合により、前記可視光源は、光チャネリングデバイス（例えば光ファイバー）をさらに備える。
【００２７】
３．条項１または２に記載のデバイスであって、前記可視光源は、前記の少なくとも１つの透明ポリマー層によって、前記の織物または布地に取り付けられる。
【００２８】
４．条項１から３のいずれか一項に記載のデバイスであって、前記の柔軟かつ適合する可視光源装置は、少なくとも１つの電気回路を上に備える少なくとも１つのフレキシブル基板をさらに備え、前記の少なくとも１つの可視光源は、前記の少なくとも１つの電気回路を通って前記の少なくとも１つのフレキシブル基板に取り付けられて、前記の少なくとも１つの電気回路は、前記の少なくとも２つの導電部材に接続されて、場合により、
（ａ）前記の少なくとも１つの可視光源は、等方導電性接着剤によって、前記の少なくとも１つの電気回路に取り付けられる；および／または、
（ｂ）前記の少なくとも１つの電気回路は、銀および／または銅を含む；および／または
（ｃ）前記の少なくとも１つの電気回路は、印刷された電気回路またはリソグラフィによってエッチングされた電気回路である。
【００２９】
５．条項１から４のいずれか一項に記載のデバイスであって、前記導電部材は、ワイヤ、導電糸、スクリーン印刷された導電パス（例えば導体ペースト）、およびそれらの組み合わせから選択される群の１つまたは複数であってよい。
【００３０】
６．条項１から５のいずれか一項に記載のデバイスであって、前記デバイスは、電力供給ユニット、および、前記電力供給ユニットを前記光源装置に接続するための電気相互接続をさらに備える。
【００３１】
７．条項６に記載のデバイスであって、前記電力供給ユニットは、バッテリーおよびＤＣ−ＤＣブーストコンバータを備える。
【００３２】
８．条項７に記載のデバイスであって、前記電力供給ユニットは、前記可視光源の多くの照明モードを制御するように適合された切替モジュールをさらに備える。
【００３３】
９．条項７または８に記載のデバイスであって、前記電力供給ユニットは、周囲光条件に基づいて前記可視光源の輝度を制御するように適合された周囲光検出器をさらに備え、場合により、前記切替モジュールの前記照明モードの１つまたは複数は、前記周囲光検出器によって完全または部分的に制御される。
【００３４】
１０．条項１から９のいずれか一項に記載のデバイスであって、前記の織物または布地は、衣服または鞄に成形されて、場合により、前記の織物または布地が衣服に成形される場合は、前記衣服は、ショーツ、靴下、Ｔシャツ、ズボン、レギンス、シャツ、および帽子から選択される。
【００３５】
１１．条項１から１０のいずれか一項に記載のデバイスであって、前記の柔軟かつ適合する可視光源装置は、３５０μｍ〜６００μｍの厚さを有する。
【００３６】
１２．条項１１に記載のデバイスであって、前記の柔軟かつ適合する可視光源装置は、５ｍｍ〜１０ｍｍの曲げ半径を有する。
【００３７】
１３．条項１１に記載のデバイスであって、前記の柔軟かつ適合する可視光源装置が１つよりも多い可視光源を備える場合は、前記可視光源の間の距離は、少なくとも１ｃｍである。
【００３８】
１４．条項１から１３のいずれか一項に記載のデバイスであって、前記の少なくとも１つの透明ポリマー層は、ＴＰＵ、シリコーン系ポリマー、プラズマ処理した織物基材、および撥水性織物基材からなる群の１つまたは複数から選択される材料であって、場合により、前記の少なくとも１つの透明ポリマー層は、ＴＰＵおよびシリコーン系ポリマーからなる群の１つまたは複数から選択される材料である。
【００３９】
１５．条項１から１４のいずれか一項に記載のデバイスであって、前記の少なくとも１つの可視光源が前記の織物または布地の方に向けて光を提供するように配置される場合、前記の布地または織物における開口部は、前記の少なくとも１つの可視光源と並ぶ。
【００４０】
１６．条項４から１５のいずれか一項に記載のデバイスであって、前記フレキシブル基板は、ポリエチレンナフタレート、ポリエチレンテレフタレート、ポリイミドから選択される群の１つまたは複数から作られる。
【００４１】
１７．条項１から１６のいずれか一項に記載のデバイスであって、前記デバイスは、前記の織物または衣服に取り付けられた前記の柔軟かつ適合する可視光源装置の機能に影響を及ぼさずに、少なくとも３０回まで（例えば少なくとも５０回まで、例えば少なくとも１００回まで）、洗浄されることが可能である。
【００４２】
本発明の一部の実施態様は、付随する図面を参照して、より完全に以下に説明される。図面において、寸法は、説明図の明確性のために誇張され得る。同様の参照数字は、全体を通じて同様の素子を指す。
【図面の簡単な説明】
【００４３】
【図１】本発明のデバイスの実施態様を模式的に示す。
【図２Ａ】本発明のさらなるデバイスの実施態様を模式的に示す。
【図２Ｂ】さらに、本発明のさらなるデバイスの実施態様を模式的に示す。
【図２Ｃ】本発明の実施態様において用いられ得る基板１７０を示す。
【図３】本発明の実施態様において用いられ得る柔軟な相互接続部品を模式的に示す。
【図４】本発明の実施態様において用いられ得る接続部を示す
【図５】本発明に係る具体化されたデバイスの電子回路の概略を示す。
【図６】本発明に係るデバイス全体を概略形態で示す。
【図７】接続して示されていないが、本発明の実施態様の電力モジュール内で用いられる電気回路を示す。
【図８】本発明の実施態様におけるこれらの部品の物理的システム構築および相互作用を示す。
【図９】本発明の実施態様の照明モジュールを示す。
【図１０】本発明の実施態様に係るＴシャツおよびショーツを開示する。
【図１１】本発明の実施態様に係る長袖シャツ１３００を示す。
【発明を実施するための形態】
【００４４】
本発明の要旨は、低光量条件であえて外に行かなければならない人々が対面する論点に対する従来の解決策に関して、上記に記載された問題の１つまたは複数を解決することを求める。
【００４５】
以下の詳細な説明では、本発明の特定の実施態様のみが、単に例示として示され説明されている。当業者が認識するように、説明される実施態様は、好ましくは様々な異なる方法で改変されてよく、全て、本発明の主旨または範囲を逸脱しない。したがって、図面および説明は、事実上、例示として見なされるべきであり、制限ではない。加えて、素子が別の素子の「上」である、という場合、当該別の素子の直接的に上、または、その間に置かれた１つまたは複数の介在する素子によって、当該別の素子の間接的に上であってよい。また、素子が別の素子「に接続される」、という場合、当該別の素子に直接的に、または、その間に置かれた１つまたは複数の介在する素子によって、当該別の素子に間接的に接続されてよい。以降、同様の参照数字は、同様の素子を指す。
【００４６】
衣服中のエレクトロニクスに関する重要な必要条件は、目立たない統合である。このことは、電子機能が衣服に追加された場合でさえ、元の織物特性が保存されるべきであることを意味する。このことは、目立たない統合を可能にするようにエレクトロニクスが非常に薄くて柔軟でなければならないことを意味する。加えて、衣服は、日常的な使用およびクリーニングに耐えなければならない。これは、手または洗濯機による洗浄および無水洗浄（例えばドライクリーニング、自己洗浄型衣服など）を含んでよい。
【００４７】
このことを考慮に入れれば、図１に示されるように、本発明は、以下を備える視認性強化デバイス１００を提供することを求める。
内側表面１１１および外側表面１１２を有する織物または布地１１０；および
織物または布地１１０に取り付けられた、柔軟かつ適合する可視光源１２０器具、ここで、可視光源装置１２０は、以下を備える：
織物または布地の内側表面の方に向けて配置された（示される）、および／または、織物または布地の内側表面に対して実質的に垂直な角度で光を提供するように配置された（示されない）、少なくとも１つの可視光源１３０；
第一の末端１４１および第二の末端１４２を備える少なくとも２つの導電部材１４０（第一の末端は、前記の少なくとも１つの可視光源に接続されて、第二の末端は、電源１５０に接続するように適合される）；および
前記の少なくとも１つの可視光源の全体および前記の少なくとも２つの導電部材の少なくとも一部を封入する、少なくとも１つの透明ポリマー層１６０。
【００４８】
可視光源１３０は、織物または布地の方に向けて光を提供するように配置されてよい。この実施態様では、以下により詳細に述べるように、織物または布地は、光源と並べられて光１１３が障害なく織物を通して輝くのを可能にする穴を備えてもよいが、光は織物または布地を突き抜けて照明を与えさえするので、これは任意選択である。代替的または（１つよりも多い可視光源が存在する場合）追加的に、可視光源１３０は、織物または布地に対して実質的に垂直な角度で光を提供するように配置されてよく、それは、織物または布地を通して輝きながら、審美的に美しい様式で所望の視認性増強を提供し得る。
【００４９】
このデバイスと関連する利点は、デバイスの厚さの低減を含み、それは、前記デバイスを統合する衣服の着用者に対して、快適性の改善をもたらす。すなわち、着用者は、彼らの動作範囲またはデバイスに起因する衣服の感覚にいかなる障害も感じない。以下により詳細に記載されるデバイスのさらなる利点は、生じるデバイスは、多数回、洗浄可能（例えば、洗濯機による洗浄が可能）であり、一方で、洗浄サイクルの後に照明を与えることがなおも可能であるという事実である。したがって、本明細書において提供されるデバイスは、快適性および耐久性の両方の組み合わせを提供する。
【００５０】
織物または布地１１０は、任意の適切な材料であってよい。例えば、織物または布地が衣服の形態である場合は、織物または衣服は、１つまたは複数の任意の適切な天然または合成の材料（例えば、ナイロン、ポリエステル、コットン、レーヨン、皮革、亜麻、ウール、ラミー、シルク、ファー、ポリエステル、バンブー、ジュート、麻、エラステイン、フランネル、またはそれらのブレンドで作られてよい。これらの材料は、織物、編物、非織物または繊維様の構造の形態であってよい。
【００５１】
柔軟かつ適合する可視光源装置１２０は、任意の適切な様式で織物または布地１１０に取り付けられ得る。例えば、可視光源装置１２０は、織物または布地１１０に対して、接着剤、縫い目、超音波溶接または透明ポリマー層１６０を介した熱接着の使用によって取り付けられ得る。可視光源１３０は、発光ダイオード（ＬＥＤ）、有機発光ダイオード（ＯＬＥＤ）およびエレクトロルミネセント材料からなる群の１つまたは複数から選択され得る。前記の少なくとも１つの透明ポリマー層は、ＴＰＵ、シリコーン系ポリマー、プラズマ処理した織物基材、および撥水性織物基材からなる群の１つまたは複数から選択される材料（例えばＴＰＵおよび／またはシリコーン系ポリマー）である。
【００５２】
特定の実施態様では、可視光源装置１２０は、さらなる照明効果を提供するために、光チャネリングデバイス（例えば光ファイバー）をさらに備えてよい。
【００５３】
照明目的のために用いられる場合、「可視光源」は、ヒトの目に見える波長（すなわち、４９５〜５７０ｎｍ）で操作する。本明細書において言及され得る特定の実施態様では、可視光源１３０は、５２７ｎｍの主波長を有してよい。
【００５４】
図２Ａに示されるように、デバイス１００の柔軟かつ適合する可視光源装置１２０は、少なくとも１つの電気回路を上に備える少なくとも１つのフレキシブル基板１７０をさらに備えてよく（例えば、フレキシブル基板は、ポリエチレンナフタレート、ポリエチレンテレフタレートおよびポリイミドから選択される群の１つまたは複数から作られる）、ここで、前記の少なくとも１つの可視光源１３０（本実施態様では２つの可視光源として示される）は、前記の少なくとも１つの電気回路を通して前記の少なくとも１つのフレキシブル基板に取り付けられて（例えば、接着は、等方導電性接着剤の使用またははんだ付けによるものであってよい）、前記の少なくとも１つの電気回路は、前記の少なくとも２つの導電部材１４０に接続される（例えば、前記の少なくとも２つの導電部材１４０は、ワイヤ、導電糸、スクリーン印刷された導電パス（例えば導体ペースト）、およびそれらの組み合わせから選択される群の１つまたは複数であってよい）。特定の実施態様では、前記の少なくとも１つの電気回路は、銀および／または銅を含んでよい。本明細書において言及される全ての態様および実施態様において、フレキシブル基板およびその上の電気回路は、前記の少なくとも１つのポリマー層内に完全に封入されることが理解されよう。
【００５５】
本明細書において用いられる場合、用語「電気回路」は、印刷された回路（例えば、スクリーン印刷された回路）、または、リソグラフィによってエッチングされた回路（例えば、リソグラフィによってエッチングされた銅回路）に関し得る。
【００５６】
また、図２Ａは、電源が衣服および／または織物から簡単に取り外されるように、電源１５０（例えば電力供給ユニット）を可視光源装置に接続するための、電気相互接続３００、４００の使用も示す。示されるように、導電部材１４０の第二の末端１４２は、衣服１１０に取り付けられた相互接続部３００とインターフェース接続する。導電部材１４０の曝露を低減させるために、ポリマー層１６０内に封入されていないワイヤの大部分（または、以下に示されるように全て）は、例えば、さらなるポリマー部品１８０（ポリマー層１６０に関して記載されるのと同一の材料であってよい）の使用によって封入されて、環境への曝露から導電部材１４０を保護するのを助け得る。代替または追加して、露出したワイヤは、電気絶縁も提供しながら、着用者にさらなる快適性を提供するように、さらなる織物層によって囲まれてよい。導電部材１４０の一部は、相互接続部３００への係合が可能であるように封入されないままであるが、任意の残りの露出したワイヤは、相互接続部３００に対する接続が確立された時点で覆われる（例えば上述）ことが理解されよう。また、電源１５０は、電源から柔軟かつ適合する可視光源装置１２０への電力伝送を可能にするための相互接続部４００もさらに備える。
【００５７】
誤解を避けるために、デバイスが衣服の一部として摩耗した場合、前記の少なくとも１つの可視光源は、織物または布地の方に向けて光を提供するように、かつ、着用者の体から離して配置されて、または、織物または布地に対して実質的に垂直な角度で光を提供するように配置される。前者は、図２Ｂにより詳細に述べられる。
【００５８】
図２Ｂは、衣服１１０に取り付けられた場合の、柔軟かつ適合する可視光源装置１２０のさらなる実施態様を示し、可視光源１３０は、着用者の体と反対を向いている。示されるように、フレキシブル基板１７０（例えばＰＥＮ基板）は、銀伝導パッド１９０を経由して可視光源１３０に取り付けられて、可視光源１３０は、等方導電性接着剤によって伝導パッド１９０の表面に接着されている。加えて、本実施態様の銀伝導パッド１９０は、導電部材１４０と伝導的に接触している。示されるように、柔軟かつ適合する可視光源装置１２０は、多くの層の封入ポリマー内に封入される（１６０ａ−ｄ）。必須ではないが、穴１１０ａが布地１１０に切り込まれて、可視光源から外界に放射される光を増強し得る（覆われた可視光源および穴１１０ａによって露出された可視光源の組み合わせが検討される）。さらに、布地に対する可視光源装置１２０の接着を増強するために、さらなるポリマー層（例えば、ポリマー層１６０に関して前述したものと同一の材料で作られる）を用いてよい。本実施態様では、ポリマー層１１０ｂが布地１１０に熱接着されて、それから、可視光源装置１２０がポリマー層１１０ｂに熱接着される。壊れていないポリマーの単一層が熱接着されて、それから穴が布地を通って切られて、穴１１０ａが作られ得ることが理解されよう。あるいは、穴１１０ａが最初に作られ得て、その後に、穴１１０ａのどちらか側に２つの別個のポリマー層１１０ｂが熱接着される。特定の場合では、穴１１０ａは、異なる材料、例えば、透明のＴＰＵまたはシリコーンによって密封され得る。特定の実施態様では、体と反対を向いている可視光源の組み合わせも検討されて、ここで、可視光源の一部は元の材料によって覆われて、一部は穴１１０ａによって露出されて、一部は穴１１０ａによって露出されるがその穴は異なる材料（例えばＴＰＵまたはシリコーン）によって密封される。さらに、１２０ａの成分層は、むしろ、可視光源１３０が着用者の皮膚の方を向くように反転され得ることが理解されよう。この配列では、穴１１０ａは存在しなくてよい。
【００５９】
図２Ｂにおける配列は、可視光源１３０がその光を織物または布地に対して実質的に垂直な様式で向けるように適合することができることが理解されよう。すなわち、可視光源１３０からの光は、織物または布地の間に向けられて、そして、摩耗した場合、ユーザーの体に向けられる。これは、より審美的に美しい光がデバイスによって提供されるのをもたらし得る。この配列では、布地または織物に穴は存在しなくてよく、または、織物または布地を通して輝く光の審美的特性を高めることが望ましい場合は、多数の穴が存在してよい。
【００６０】
デバイスのサイズを低減させるため、および、適切な曲げ半径（例えば５ｍｍ〜１０ｍｍ）を確実にするために、柔軟な可視光源は、出来る限り薄く保たれる（例えば３５０μｍ〜６００μｍ）。これを達成するために、フレキシブル基板１７０、ポリマー層１６０ｂ−ｄ、およびポリマー層１１０ｂは、７５μｍの厚さを有し得て、一方で、ポリマー層１６０ａは、１６０μｍの厚さを有し得る。この配列は、可視光源（例えば、ＬＥＤまたはＯＬＥＤ）に衝突保護を提供し得て、柔軟かつ適合する可視光源装置が洗浄を乗り切るのを可能にする。例えば、そのような衣服は、少なくとも３０回まで（例えば少なくとも５０回まで、例えば少なくとも１００回まで）、織物または衣服に取り付けられた柔軟かつ適合する可視光源装置の機能に影響を及ぼさずに洗浄されることが可能であり得る。デバイスの厚さは、ユーザーの快適性が高められる方法で最小限にされることも理解されよう。
【００６１】
図２Ｃは、本発明の実施態様に係るフレキシブル基板１７０を示す。フレキシブル基板１７０は、ポリエチレンナフタレート、ポリエチレンテレフタレートおよびポリイミドから選択される群の１つまたは複数から作られ得る。１９０によって模式的に示される電気回路は、（例えば、電気回路を印刷することによって、または、回路をリソグラフィによってパターン化することによって）表面に適用されて、電気回路は銀および／または銅を含んでよく、その結果、可視光源１３０（示さず）は、フレキシブル基板に、（例えば、等方導電性接着剤の使用によって、または、はんだ付けによって、取り付けられて、場合により、可視光源のアンダーフィルが後に続く。それから、フレキシブル基板は、ダイカットまたはパターン化されて（例えば、レーザーカッターによって）、示される最終フォームファクターを提供し、それは、２つの導電部材１４０の第一の末端１４１と係合するためのロブスター形状（ｌｏｂｓｔｅｒｅｄ  ｓｈａｐｅ）を用いる。導電部材１４０を係合する任意の他の適切な手段が用いられ得ることが理解されよう。示されるように、２つの導電部材１４０の第一の末端１４１は、続いて、電気トレース１９０との伝導的な接触に置かれて、可視光源の照明を可能にする。
【００６２】
柔軟かつ適合する可視光源装置は、３５０μｍ〜６００μｍの厚さを有してよい。加えて、柔軟かつ適合する可視光源装置は、５ｍｍ〜１０ｍｍの曲げ半径を有してよい。柔軟かつ適合する可視光源装置が３５０μｍ〜６００μｍの厚さを有する場合、デバイスは、薄い衣服（例えば単一層のｔシャツ、シャツなど）の一部として着るのに特に快適であり得て、この快適性は、柔軟かつ適合する可視光源装置が５ｍｍ〜１０ｍｍの曲げ半径も有する場合、さらに改善され得る。特定の実施態様では、１つよりも多い可視光源が存在する場合、柔軟かつ適合する可視光源装置の一部として用いられる可視光源（例えばＬＥＤ）の間は、最小で、少なくとも１ｃｍ（例えば１ｃｍ〜１０ｃｍ）分離していることを確実にすることが有用であり得る。
【００６３】
本明細書において用いられる場合、「ＬＥＤ」は、特に別段の規定がされない限り、全てのタイプのＬＥＤ、例えば、従来のＬＥＤおよびＯＬＥＤを指す。「ＬＥＤ」が意味において制限される場合の例としては、語句「ネオン光源、発光ダイオード（ＬＥＤ）、有機発光ダイオード（ＯＬＥＤ）およびエレクトロルミネセント材料からなる群」が用いられる場合、「ＬＥＤ」は、ＯＬＥＤを除く全てのタイプのＬＥＤに関すると理解される。本明細書において用いられる場合、「ＯＬＥＤ」は、全ての種類のＯＬＥＤを指す。
【００６４】
本発明の特定の態様および実施態様では、視認性強化デバイスの合計厚さは、７００μｍ〜２ｍｍであってよい。より低い範囲は、陸上競技ウエアでの使用に特に適切であり得て、一方で、範囲のより高い末端は、厚い層の布地が便利であり得る衣服／デバイス（例えばジャケット）の製造での使用に適切であり得ることが理解されよう。本明細書において言及され得る特定の厚さは、限定されないが、７００μｍ〜１，５００μｍ、例えば８００μｍ〜１，５００μｍを含む。
【００６５】
電気相互接続は、可視光源の照明が達成されるように電源から可視光源（単数または複数）に電力が伝送されるのを可能にすることを相互接続ができる限り、任意の適切な電気相互接続であってよい。例えばこれは、標準的なプラグおよびソケット配列、雄および雌部品パーツを備える開放可能なスナップフィットコネクタ、または伝導的に接続可能な（および開放可能な）金属リベットと関連し得る。あるいは、電気相互接続は、相補の電気接触面を備える電源に取り付けられるように適合された、電気接触面を備える柔軟な配列を備えてよい。
【００６６】
図３は、衣服または織物／布地１１０の一部として用いられ得る柔軟な相互接続部品の適切な配列を説明するのを助け、それは、織物または布地の内側または外側表面上に置かれてよい。図３では、柔軟な接続部品３００は、布地１１０の層に接着された多くの柔軟層（５１０−５３０）を備え、それは、作動中のデバイスによって生じる電流から着用者を絶縁するのを助けながら柔軟な相互接続部品３００の電気部品を環境因子（例えば、着用者の体からの汗および体液）から絶縁するためのバリア材料として作用するポリマー層５６０（例えば熱可塑性ポリウレタンから作られる）を経由した（ｂｙ  ｗａｙ  ｏｆ）、衣服の胴体部（ｔｈｅ  ｂｏｄｙ  ｔｈｅ  ｇａｒｍｅｎｔ）であってよい。本実施態様では、柔軟な相互接続部品３００は、柔軟なベース層５１０（例えば、ポリ（エチレン２，６−ナフタレンジカルボキシレート）；ＰＥＮから作られる）を備え、その上に、銀５２０の柔軟層（例えば、スクリーン印刷された銀の層）が接着されて、本実施態様における伝導性および／またはデータ接続性を提供する。銀（または銅）層５２０は、雌スナップフィット導電部材（示さず）と可逆的に嵌合するように配列された雄スナップフィット導電部材３２０、ならびに、銀層５２０の表面から横に伸長する２以上の伝導性ワイヤ１４０と、直接伝導的に接触している。示されるように、雄部材３２０は、二層の柔軟な相互接続部品３００、電気的絶縁層５３０（例えば、熱可塑性ポリウレタンから作られる）、および、上述の任意の材料で作られ得る第一の接触面の層３１０を通して穴の中に置かれる。伝導性ワイヤ１４０を保護するのを助けるために、絶縁ポリマー５７０のさらなる層がその上部に置かれて、それと銀層５２０とを環境因子から保護および封入し得る（封入は、他の絶縁層５３０および５６０と組み合わせて達成される。ワイヤ１４０は、末端を除き、その全長にわたって絶縁材料内に封入され得て、それは、本明細書に記載のように電気デバイスまたはセンサーと伝導的な接触していることが理解されよう。特定の実施態様では、第一の柔軟な相互接続部品は、布地１１０の層に取り付けられた布地のカバー内に封入されて、第一の柔軟な部品および第二の部品を格納するのに適切なポケットを形成し得る。この配列は、第二の部品が電力供給ユニットを統合する場合に利点がある。
【００６７】
図３は、柔軟な相互接続部品３００から柔軟な照明器具１２０に電気を分配するために用いられ得る、ベース層５１０および銀（または銅）層５２０を示す（例えば、図１−２Ｂの実施態様）。示されるように、ベース層および伝導層は、多数の導電部材１４０を通した電力の分配を可能にするように規定された形状に切断される。これらの層の構築および形成は、以前にフレキシブル基板１７０に関して述べられる技術を用いて行なわれ得る。
【００６８】
雌スナップフィット部材は示されないが、これは、電力供給ユニットのようなさらなる電気部品を備える相互接続部品上に格納され得て、剛性または柔軟であってよいことが理解されよう。任意の適切な相互接続配列が本明細書において用いられ得ることが理解されよう。相互接続配列の主な目的は、取り外し可能な電力供給ユニットからの電力が本発明の視認性強化デバイスに供給されるのを可能にする連結を、提供することである。
【００６９】
電力供給ユニットは、織物／布地または衣服に取り付けられた照明モジュールに接続することのできる、任意の適切な電力供給ユニットであってよい。特定の実施態様では、電力供給ユニットは、バッテリーおよびＤＣ−ＤＣブーストコンバータを備えてよい。さらなる実施態様では、電力供給ユニットは、可視光源の多くの照明モードを制御するように適合された切替モジュールをさらに備えてよい。さらに、さらなる実施態様では、電力供給ユニットは、周囲光条件に基づいて可視光源の輝度を制御するように適合された、周囲光検出器をさらに備えてよい（例えば、切替モジュールの照明モードの１つまたは複数は、周囲光検出器によって完全または部分的に制御される）。
【００７０】
これに代え又はこれに加えて、デバイスの輝度は、以下によって制御されてもよい：
（ａ）物体までの近さに応じて輝度を制御するための、近接センサー；および／または
（ｃ）周囲音量に応じて輝度を制御するための、音検出器；および／または
（ｄ）温度に応じて輝度を制御するための、温度センサー。
【００７１】
モード選択器は、可視光源の輝度を制御するために、上記のセンサーおよび光検出器（例えば、光依存性抵抗器）を使用しないか、１つまたは組み合わせを使用してよいことが理解されよう。
【００７２】
本発明の一実施態様では、電力供給ユニットは、スイッチ、バッテリー（例えば、再充電可能なＬｉ−イオンバッテリー）を取り囲む格納部、および、上記に示されて述べられた電力供給ユニットの様々な部品パーツを操作するための関連のあるエレクトロニクスを格納する印刷された回路基板（ＰＣＢ）を備えてよい。格納部は、（例えば衣服の）布地に取り付けられた相互接続部材に接続されるように適合された、第二の相互接続部材を備える。加えて、電力供給ユニットは、ＵＳＢポートも備えてよく、それは、前記バッテリーが再充電可能なバッテリーである場合にバッテリーを充電するために用いられ得る。特定の実施態様では、ＵＳＢポートが存在しなくてよく、ワイヤレスの再充電手段または器具のような、バッテリーの再充電の代替手段が統合されてよいことが理解されよう。
【００７３】
図５〜８は、デバイス１００がどのように用いられ得るかを、統合されたデバイス１００全体の実施態様の配列を示す。
【００７４】
図５は、電子回路として模式的にデバイス１００を示す。示されるように、デバイス１００は、電気相互接続３００／４００によって照明モジュール８１０のワイヤリングに接続される取り外し可能な電力モジュール１５０の存在を必要とする。示されるように、バッテリーモジュールは、バッテリー７２０（例えば、約３．７ボルトで操作される再充電可能なＬｉ−イオンバッテリー）およびＤＣ−ＤＣブーストコンバータ８２０（例えば、電圧を３．７ボルトから２４ボルトに上げるため）を備えてよい。本実施態様では、照明モジュールは、以下により詳細に述べるように、柔軟ポリマー（示さず）内に封入される以下のＬＥＤまたはＯＬＥＤのいずれかを備える織物（示されない）に統合された、いくつかの照明源ストリップを備える。本発明の特定の実施態様では、バッテリーモジュールは、図６および７に示されるようにデバイスを操作するのに必要な動力および駆動エレクトロニクスの全てをさらに備えてよい。可視光源１３０の保護を助けるために、限流抵抗器を追加してよい。
【００７５】
図６は、本発明に係るシステム６００全体を概略形態で示す。示されるように、電力供給ユニット６０１は、ＵＳＢコネクター６０２、電力モジュール６０３（バッテリー、ＤＣ−ＤＣ変換器、切替モジュール、自動光センサー、および、印刷された回路基板上のこれらの部品を駆動するためのエレクトロニクスを備える）および、衣服６０５（しかしこれは、布地または織物から作られる任意の他の物体であってよい）の上の相互コネクター（６０６；すなわち接触パッド）と接触するための相互接続６０４を備える。衣服６０５は、電力供給ユニットの相互接続６０４とインターフェース接続するための相互接続６０６（例えば、本明細書に記載の相互接続、または任意の他の適切な相互コネクター）、前記相互接続６０６から導電糸６０８（これは、ワイヤまたは印刷された導電パス（例えば導体ペースト）であってもよい）への電流を、１つまたは複数の照明ストリップ６０９に伝送するための部品６０７を備え、照明ストリップ６０９は、回路モジュール相互接続６１０および照明モジュール６１１を備える。
【００７６】
図７は、本発明の実施態様の電力モジュール内で用いられる電気回路を、接続して示されないが、より明確に示し、一方で、図８は、これらの部品の相互作用および物理的システム構築を示す。
【００７７】
図８は、本発明の一実施態様に係る電力モジュールを示す。電力モジュール８００は、それらの主な機能によって、４体：充電８０１、モード選択器８０２、ＤＣ−ＤＣ変換器８０３および取り外し可能な相互接続８０４に分けることができる。電力モジュール８００の充電部の主な機能は、ＵＳＢコネクター８０６を用いて照明システムのバッテリー８０５を充電すること、および、充電表示器ＬＥＤ８０７を用いてユーザーにフィードバックを提供することであり、全て、充電インターフェース／回路８０８によって接続される。ここに示されるデバイスは、充電を達成するために別個のＵＳＢコネクター８０６を用いるが、本明細書により詳細に示される相互接続システムも同様の効果を達成できることが考えられる。加えて、電力モジュールは、交換可能なバッテリー（例えばアルカリ電池）を使用することもできることが考えられる。
【００７８】
電力モジュール８００がＵＳＢ壁掛けアダプターまたはＵＳＢポートに差し込まれると、電力モジュールの内部バッテリー８０５を充電するために、取り付けられた電源から電力が引かれる。充電インターフェースは、電流および電圧レベルを調節して、バッテリー８０５（例えば、ＬｉポリバッテリーおよびＬｉ−イオンバッテリーのような、任意の再充電可能なバッテリー）を充電する。電力モジュール８００は、バッテリーの電力レベルを監視して適切な充電を確実にして、充電インターフェース８０８は表示器ＬＥＤも駆動して、バッテリーの充電状態について可視的なフィードバック（例えば、充電中が赤、フルの場合に緑／オフ）をユーザーに提供する。電圧コンパレータ―８０９が電力モジュールに与えられて、赤ＬＥＤ８１１（すなわち、低バッテリー表示器）を点灯することにより、バッテリーが２０％の充電しか残っていないことをユーザーに警告する。
【００７９】
照明システムを制御するために、バッテリーモジュールは、照明器具の所望の照明モードを設定する要因となるモード選択器８０２を備えてもよい。モード選択器８０２は、触覚性スイッチ８１２、光モード選択器電気回路８１３、５０％（８１４）および１００％（８１５）の輝度設定のための電流調節抵抗器、光依存性抵抗器８１６およびパルス発生器回路８１７を備える。示される順番でこれらの部品を用いて以下のモードのいずれか１つを選択することができる。
−オフ
−５０％輝度設定
−１００％輝度設定
−自動輝度（光依存性抵抗器；ＬＤＲによる）
−自動輝度を用いた「呼吸」アニメーション（ＬＤＲおよびパルス発生器による）
【００８０】
デフォルトによって、システムは「オフ状態」である。これは、システムによって光が生じないことを意味する。触覚性スイッチを押すことによって、選択器がクリックあたり１モード前に進む。上述のように、異なるモードを作るための異なるサブシステムが、モード選択器に取り付けられている。ＬＤＲの形態の周囲光センサーは、最後の２モードにおいて用いられて、システムが環境照明条件に反応するのを可能にする。パルス発生器が統合されて、最後のモードにおいて用いられ得る各種の呼吸のようなアニメーション（ｂｒｅａｔｈｉｎｇ−ｌｉｋｅ  ａｎｉｍａｔｉｏｎ）を発生し得る。モード選択器は、サブシステムの１つまたは複数を（必要に応じて）選択して、それらをＤＣ−ＤＣ変換器８０３に電気的に接続する。
【００８１】
ＤＣ−ＤＣ変換器８０３の主な機能は、照明モジュールを駆動するために、バッテリーの電圧レベルをより高い電位まで拡大することである。このことは、照明モジュールを電力モジュールに接続する衣服上の回路上の電圧低下を補うために必要である。ＤＣ−ＤＣ変換器は、モード選択器からの入力に基づいて、必要とされる電流に設定され得る。
【００８２】
電圧コンパレータ―８０９は、バッテリーの充電レベルを測定するために、電力モジュールに備えられる。バッテリー充電が２０％を下回った場合、赤ＬＥＤが８１１を点灯させて、システムを再充電すべきであることをユーザーに知らせる。
【００８３】
再取り付け可能な相互接続８０４は、電力モジュールと衣服との間のブリッジである。それは電気相互接続を形成して、電力モジュールのＤＣ−ＤＣ変換器８０３から、電力モジュールに取り付けられた相互接続部品へ電力が流れるのを可能にする。以前に、より詳細に述べられるように、相互接続は、衣服および電力モジュール上の相互接続部品を用いて作成され得て、接続が簡単に作成および破壊されるのを可能にし得る。このことは、ほとんど困難なく、電力モジュールおよび衣服が使用のために接着されて充電および洗浄のために分離されるのを可能にする。
【００８４】
これに代え又はこれに加えて、デバイスの輝度は、以下によっても制御され得る：
（ａ）物体までの近さに応じて輝度を制御するための、近接センサー；および／または
（ｃ）周囲音量に応じて輝度を制御するための、音検出器；および／または
（ｄ）温度に応じて輝度を制御するための、温度センサー。
【００８５】
モード選択器は、可視光源の輝度を制御するために、上記のセンサーおよび光検出器（例えば、光依存性抵抗器）を使用しないか、１つまたは組み合わせを使用してよいことが理解されよう。
【００８６】
衣服または織物／布地部品は、２つの主なサブシステム：照明システムおよび再取り付け可能な相互接続の他方の半分に分けることができる。図９に示されるように、照明システムは、３つの照明モジュールを備えてよく、モジュールは、衣服または織物／布地上のいくつかの位置に視覚的照明を与える。それぞれの照明モジュールは、いくつかの発光体９０５（示される実施態様では、ＬＥＤまたはＯＬＥＤ）を備えるストリップである。再取り付け可能な相互接続９０１は、電力モジュールと衣服との間のブリッジである。照明モジュールの一部を形成する相互接続は、電力モジュール上の対応する部品と電気相互接続を形成して、電力がコネクターパッドから個々の照明モジュールに流れるのを可能にして、それらを照らす。以前に、より詳細に述べられるように、接続は、簡単に作成および破壊することができ、電力モジュールおよび衣服（または織物／布地）が、使用のために接着および充電および洗浄のために分離されるのを可能にする。
【００８７】
本明細書に述べられるように、織物または布地は、衣服、または、そのような材料から作られる他の物体（例えば鞄）の形態であってよい。織物または布地が衣服の形態である場合は、衣服は、任意の着ることのできる物体、例えば、ショーツ、靴下、Ｔシャツ、ズボン、レギンス、シャツおよび帽子であってよい。
【００８８】
図９は、本発明の実施態様の照明モジュールを示す。照明モジュールは、実質的に以前に説明されている。照明モジュール９００は、照明モジュール上の電気部品とインターフェース接続するために、織物上の導電糸のためのランディングパッド９０１を備え、ランディングパッドは、ＬＥＤ（９０２−９０４）および多数のＬＥＤ（９０５）のための１つまたは複数の限流抵抗器に、（例えば電気トレースによって）接続される。
【００８９】
図１０は、Ｔシャツ１１００、ショーツ１２００を開示し、図１１は、本発明の実施態様に係る長袖シャツ１３００を示し、衣服における統合された照明システムを示す。これらの図に示されるように、照明を与えるために衣服の前、後ろ、および／または両脇に取り付けられた、発光ダイオード（ＬＥＤ）、有機発光ダイオードまたはエレクトロルミネセント材料の１つまたは複数であってよい光１１２０が存在する。光は、何らかの形態のワイヤリング（示さず）によって電力供給ユニット１１３０に接続されて、それは電力を提供して、以下にさらに詳細に述べるさらなる機能を発揮し得る。光１１２０に加えて、衣服は、車両の光線からの光を反射するための受動反射ストリップ１１４０を備えてもよく、着用者を低光量条件でより視認性にするのを助け得る。
【００９０】
図１０および１１の実施態様は、上記に開示された本発明の実施態様に係る、目立たない統合されたエレクトロニクスを備えるスポーツ衣服に関する。これらの衣服では、１つまたは複数の柔軟な照明器具１２０が衣服の中に埋め込まれて、ランニングエクササイズを行なっている間、特に薄暗い環境中で、着用者の視認性を大幅に高める。前記の１つまたは複数の柔軟な照明器具１２０は、事前に規定されたパターン、色および形に従った、光エンジン素子（ｌｉｇｈｔ  ｅｎｇｉｎｅ  ｅｌｅｍｅｎｔ）１３０（ＬＥＤ）を備える。別個のエレクトロニクスモジュールは、衣服に取り付けおよび取り外し可能であり、ドライビングエレクトロニクス、再充電可能なバッテリー、および、ユーザーが所望の照明モード（オンおよびオフ／呼吸アニメーション／設定輝度／自動輝度）を選択するための主なインターフェースであるスイッチを統合する。
【００９１】
本発明は、スポーツウエアに統合され得る一方で、本発明の実施態様は、任意の布地または織物における統合された照明システムの使用にも関し得ることが理解されよう。具体的には、照明システムは、任意のタイプの衣服に統合され得る。
【図１】
0006758303.tif 000002
【図２Ａ】
0006758303.tif 000003
【図２Ｂ】
0006758303.tif 000004
【図２Ｃ】
0006758303.tif 000005
【図３】
0006758303.tif 000006
【図４】
0006758303.tif 000007
【図５】
0006758303.tif 000008
【図６】
0006758303.tif 000009
【図７】
0006758303.tif 000010
【図８】
0006758303.tif 000011
【図９】
0006758303.tif 000012
【図１０】
0006758303.tif 000013
【図１１】
0006758303.tif 000014